(57)【要約】【課題】排ガス中の水銀の酸化性能を常に安定して行うことができる排ガス処理装置及び排ガス処理システムを提供する。【解決手段】ボイラからの排ガス１２中の窒素酸化物（ＮＯｘ）を除去すると共に、排ガス１２中に塩素化剤である塩化水素を噴霧して水銀（Ｈｇ）を酸化する脱硝触媒部１３を有する排ガス処理装置において、前記塩素化剤を供給する供給位置は、脱硝触媒部の前流側煙道の断面形状が軸方向に亙って均一な部分（塩化水素供給領域４１のいずれか）としている。【選択図】図１
2010046596.tif 000002
【特許請求の範囲】
【請求項１】
ボイラからの排ガス中の窒素酸化物を除去すると共に、排ガス中に塩素化剤を噴霧して水銀を酸化する脱硝触媒部を有する排ガス処理装置において、
前記塩素化剤を供給する供給位置は、脱硝触媒部の前流側煙道の断面形状が軸方向に亙って均一な部分とすることを特徴とする排ガス処理装置。
【請求項２】
請求項１において、
前記断面形状が均一な部分は、脱硝触媒部の前流側煙道の鉛直部であることを特徴とする排ガス処理装置。
【請求項３】
前記ボイラと、
前記ボイラの下流側の煙道に排出された排ガスに塩素化剤を注入する塩素化剤供給部と、
請求項１又は２の排ガス処理装置と、
脱硝後の排ガス中の硫黄酸化物を除去する脱硫装置と、
脱硫後のガスを外部に排出する煙突とを有することを特徴とする排ガス処理システム。
【請求項４】
請求項３において、
前記ボイラの下流側の煙道に排出された排ガスにアンモニアを投入するアンモニア供給部が設けられてなることを特徴とする排ガス処理システム。
【発明の詳細な説明】
【技術分野】
【０００１】
本発明は、燃焼装置から排出される排ガスの水銀の酸化処理を行う排ガス処理装置及び排ガス処理システムに関する。
【背景技術】
【０００２】
例えば火力発電所等の燃焼装置である石炭焚ボイラから排出される排ガスには毒性の高い水銀が含まれるため、従来から排ガス中の水銀を除去するためのシステムが種々検討されてきた。
【０００３】
通常、石炭焚ボイラには排ガス中の硫黄分を除去するための湿式の脱硫装置が設けられている。このようなボイラに排ガス処理装置として脱硫装置が付設されてなる排煙処理設備においては、排ガス中の塩素（Ｃｌ）分が多くなると、水に可溶な２価の金属水銀（Ｈｇ）の割合が多くなり、前記脱硫装置で水銀が捕集しやすくなることが、広く知られている。
【０００４】
そのため、近年、ＮＯｘを還元する脱硝装置、および、アルカリ吸収液を硫黄酸化物（ＳＯｘ）吸収剤とする湿式脱硫装置と組み合わせて、この金属水銀を処理する方法や装置について様々な考案がなされてきた。
【０００５】
排ガス中の金属水銀を処理する方法としては、活性炭やセレンフィルター等の吸着剤による除去方法が知られているが、特殊な吸着除去手段が必要であり、発電所排ガス等の大容量排ガスの処理には適していない。
【０００６】
そこで、大容量排ガス中の金属水銀を処理する方法として、煙道中、高温の脱硝装置の前流工程で塩素化剤をガス噴霧し、脱硝触媒上で水銀を酸化（塩素化）させ、水溶性の塩化水銀にした後、後流の湿式脱硫装置で吸収させる方法が提案されている（例えば、特許文献１及び特許文献２、参照）。また、煙道にガス噴霧する装置および技術は脱硝装置のＮＨ3噴霧、塩素化剤のガス噴霧で実用化されている。
【０００７】
石炭焚きボイラの排ガス処理装置の概略図を図５に示す。図５に示すように、従来の排ガス処理システム１００は、燃料Ｆとして石炭を供給する石炭焚ボイラ１１からの排ガス１２中の窒素酸化物（ＮＯｘ）を除去すると共に、排ガス１２中に塩素化剤である塩化水素（ＨＣｌ）を噴霧して水銀（Ｈｇ）を酸化する脱硝触媒部１３と、窒素酸化物（ＮＯｘ）除去後の排ガス１２中の熱を回収する空気予熱器１４と、熱回収後の排ガス１２中の煤塵を除去する電気集塵器１５と、除塵後の排ガス１２中の硫黄酸化物（ＳＯｘ）、水銀（Ｈｇ）を除去する脱硫装置１６と、脱硫後の排ガス１２を浄化ガス１７として外部に排出する煙突１８とを具備するものである。
【０００８】
また、脱硝装置１３の前流の煙道１９には、塩酸（ＨＣｌ）の注入箇所が設けられており、塩酸（液体ＨＣｌ）供給部２０に貯蔵された塩酸（液体）は、塩化水素噴霧部２１で気化して塩化水素（ＨＣｌ）噴霧ノズルを介して塩化水素として排ガス１２に噴霧されている。
【０００９】
また、脱硝触媒部１３の前流の煙道１９には、アンモニア（ＮＨ3）の注入箇所が設けられており、ＮＨ3供給部２３から供給されるアンモニアはアンモニア噴霧ノズルにより排ガス１２に噴霧し、窒素酸化物（ＮＯｘ）の還元を行うようにしている。
なお、図５中、符号２５は酸化還元電位測定制御装置（ＯＲＰコントローラ）、２６は空気を各々図示する。
【００１０】
ここで、石炭焚ボイラ１１から排ガス１２は、脱硝触媒部１３に供給され、その後空気予熱器１４で熱交換により空気２７を加熱した後、電気集塵器１５に供給され、更に、脱硫装置１６に供給された後、浄化ガス１７として大気に排出される。
【００１１】
また、塩素化剤による装置への腐食破損等の影響を抑え信頼性を向上させるため、湿式脱硫後の排ガスについて水銀濃度を水銀モニターで測定し、脱硫後の水銀濃度に基づいて塩素化剤の供給量を調整するようにしている（例えば、特許文献２、参照）。
【００１２】
このように、従来においては、排ガス１２中に塩化水素とアンモニアとを供給することで、排ガス１２中のＮＯｘ（窒素酸化物）を除去すると共に、排ガス１２中の水銀（Ｈｇ）を酸化するようにしている。
【００１３】
即ち、ＮＨ3はＮＯｘの還元脱硝用に用い、ＮＨ3供給部２９から供給されるＮＨ3をアンモニア（ＮＨ3）噴霧ノズルを介して排ガス１２中に噴霧し、脱硝触媒部１３で、下記式のように還元反応によりＮＯｘを窒素（Ｎ2）に置換し、脱硝するようにしている。
４ＮＯ  ＋  ４ＮＨ3  ＋  Ｏ2  →  ４Ｎ2  ＋  ６Ｈ2Ｏ・・・（１）
ＮＯ  ＋  ＮＯ2  ＋  ２ＮＨ3  →  ２Ｎ2  ＋  ３Ｈ2Ｏ・・・（２）
【００１４】
また、塩化水素は水銀酸化用に用いており、塩素化剤として用いられる塩化水素はＨＣｌ供給部２０から塩化水素（ＨＣｌ）噴霧部２１に供給され、ここで塩酸は気化され、塩化水素（ＨＣｌ）として塩化水素噴霧ノズル２１ａにより排ガス１２中に噴霧することで、脱硝触媒部１３において、下記式のように脱硝触媒上で溶解度の低いＨｇを酸化(塩素化)し、水溶性の高い塩化水銀（ＨｇＣｌ2）に変換させ、後流側に設けられる脱硫装置１６で排ガス１２中に含有するＨｇを除去するようにしている。
Ｈｇ  ＋  ２ＨＣｌ  ＋  １／２Ｏ2  →  ＨｇＣｌ2  ＋  Ｈ2Ｏ・・・（３）
【００１５】
また、燃料として石炭又は重油を使用した場合、燃料中にはＣｌが含まれるため燃焼ガスにはＣｌ分が含まれるが、燃料の種類によりＣｌ分の含有量は異なり、排ガス中のＣｌ濃度を制御するのは困難であるため、排ガス処理装置１０の前流に必要量以上のＨＣｌ等を添加し、確実にＨｇを除去するようにするのが好ましい。
【００１６】
また、脱硝触媒部１３は、例えば格子状に配列して四角形状の通路２８を有するハニカム形状のものに脱硝触媒を担持したものを用いており、その通路の断面形状は例えば三角形状や四角形状など多角形状からなる通路としている。
【００１７】
【特許文献１】特開平１０−２３０１３７号公報
【特許文献２】特開２００１−１９８４３４号公報
【発明の開示】
【発明が解決しようとする課題】
【００１８】
ところで、従来のボイラ１１からの排ガス１２の気流は、偏流となっており、塩化水素を供給する位置により、脱硝触媒部に均一な塩化水素の供給ができなくなり、水銀酸化性能にバラツキが生じる場合がある。
この結果、排ガス中の水銀の酸化性能が低下するという問題がある。
よって、排ガスの気流の条件によらず、所要の水銀酸化性能を達成できることが切望されている。
【００１９】
本発明は、前記問題に鑑み、排ガス中の水銀の酸化性能を常に安定して行うことができる排ガス処理装置及び排ガス処理システムを提供することを課題とする。
【課題を解決するための手段】
【００２０】
上述した課題を解決するための本発明の第１の発明は、ボイラからの排ガス中の窒素酸化物を除去すると共に、排ガス中に塩素化剤を噴霧して水銀を酸化する脱硝触媒部を有する排ガス処理装置において、前記塩素化剤を供給する供給位置は、脱硝触媒部の前流側煙道の断面形状が軸方向に亙って均一な部分とすることを特徴とする排ガス処理装置にある。
【００２１】
第２の発明は、第１の発明において、前記断面形状が均一な部分は、脱硝触媒部の前流側煙道の鉛直部であることを特徴とする排ガス処理装置にある。
【００２２】
第３の発明は、前記ボイラと、前記ボイラの下流側の煙道に排出された排ガスに塩素化剤を注入する塩素化剤供給部と、第１又は２の排ガス処理装置と、脱硝後の排ガス中の硫黄酸化物を除去する脱硫装置と、脱硫後のガスを外部に排出する煙突とを有することを特徴とする排ガス処理システムにある。
【００２３】
第４の発明は、第３の発明において、前記ボイラの下流側の煙道に排出された排ガスにアンモニアを投入するアンモニア供給部が設けられてなることを特徴とする排ガス処理システムにある。
【発明の効果】
【００２４】
本発明によれば、排ガスの気流条件によらず、塩素化剤を供給することができ、所要の水銀酸化性能を確保することができる。
【発明を実施するための最良の形態】
【００２５】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例】
【００２６】
本発明による実施例に係る排ガス処理装置について、図面を参照して説明する。
図１は、実施例に係る排ガス処理装置を示す概略図であり、図２は、実施例に係る排ガス処理装置の構成の一部を示す斜視図である。ここで、本実施例では塩素化剤として塩化水素を例にして説明する。
図１及び図２に示すように、本実施例に係る排ガス処理装置１０は、ボイラ１１からの排ガス１２中の窒素酸化物（ＮＯｘ）を除去すると共に、排ガス１２中に塩素化剤である塩化水素を噴霧して水銀（Ｈｇ）を酸化する脱硝触媒部１３を有する排ガス処理装置において、前記塩素化剤を供給する供給位置は、脱硝触媒部の前流側の排ガス煙道（以下、「煙道」という）１９の断面形状が軸方向に亙って均一な部分（図１中、塩化水素供給領域４１のいずれか）としている。
【００２７】
この結果、排ガス１２の気流条件によらず、塩素化剤である塩化水素を供給することができ、脱硝触媒部１３において、所要の水銀酸化性能を確保することができる。
なお、本実施例においては、脱硝触媒部１３は３層の触媒層１３−１〜１３−３から形成されているが、本発明はこれに限定されるものではない。本実施例では、脱硝触媒部１３の前流側に塩化水素が供給された後の排ガス１２を整流する整流板３０を配置して、触媒に供給する排ガスを整流化するようにしている。
【００２８】
また、図１に示すように、アンモニア（ＮＨ3）投入位置から、塩化水素供給領域４１のアンモニア側との距離４２は、少なくとも３ｍ以上離すようにすることが好ましい。
これは、塩化水素とアンモニアとの混合を防止するためである。
【００２９】
ここで、図２においては、図１の斜視図であるが、脱硝触媒部１３の前流側に配置した整流板３０は省略している。ここで、図２において、前記脱硝触媒部１３の入口側において、排ガスの温度、排ガスの流速分布、塩化水素濃度分布の少なくとも一以上を計測する第１のモニタリング部３１（３１ａ〜３１ｄ）と、前記脱硝触媒部１３の出口側において、排ガス中の水銀量を計測する第２のモニタリング部３２（３２ａ、３２ｂ）を配設しており、第１のモニタリング部３１と第２のモニタリング部３２との結果により、塩化水素の噴霧量を調整するようにしている。
なお、煙道１９は断面が矩形状としており、例えば３ｍ×１２ｍとしている。
このような矩形状の煙道に塩化水素を供給するノズル供給部としては、煙道の断面長手方向に延びる塩化水素供給管に設けた無数（５００個以上）のノズルから、塩化水素を噴霧するようにしている。
【００３０】
さらに、排ガス処理装置１０の運転条件（排ガス温度、排ガスの流速分布、排ガス中の塩化水素濃度分布）や、そのバラツキ度合いを第１のモニタリング部３１でモニタリングし、それらの値を中央演算装置（ＣＰＵ）で演算し、それらに応じて塩化水素量や排ガス温度を調整することにより、所要の水銀酸化性能を確保するようにしてもよい。
【００３１】
図３は、本発明の試験例にかかる塩化水素の投入位置（塩化水素供給領域４１のいずれか）による塩化水素濃度と水銀酸化率との関係図であり、排ガス中の水銀酸化率におおきなバラツキはみられなかった。
これに対し、図４に示すように、比較例にかかる塩化水素の投入位置（図１に示す塩化水素供給領域４１の前流側で煙道屈曲部４３）に示すように、排ガス中の水銀酸化率にバラツキはみられた。
【００３２】
ここで、水銀酸化率は脱硝触媒部１３の入口側において、第１のモニタリング部３１として、４００個のセンサを設けて、断面における水銀酸化率のバラツキを計測した。
【００３３】
ここで、運転条件により、所定濃度（Ｘ）としては、２００〜５００ｐｐｍとすればよいが、本発明はこれに限定されるものではない。
【００３４】
このように、本発明によれば、前記塩素化剤を供給する供給位置は、脱硝触媒部の前流側煙道の断面形状が軸方向に亙って均一な部分の領域４１とすることで、ボイラからの排ガスの気流条件が変動しても常に安定して高い水銀酸化性能（例えば９５％以上）を確保することができるものとなる。
【００３５】
ここで、本実施例に係る排ガス処理装置１０においては、還元脱硝用に脱硝触媒部１３で用いる脱硝触媒として、Ｖ、Ｗ、Ｍｏ、Ｎｉ、Ｃｏ、Ｆｅ、Ｃｒ、Ｍｎ、Ｃｕ等の金属酸化物又は硫酸塩あるいは、Ｐｔ、Ｒｕ、Ｒｈ、Ｐｄ、Ｉｒなどの貴金属、又はこれらの混合物を担体であるチタニア、シリカ、ジルコニア及びこれらの複合酸化物、又はゼオライトに担持したものを用いることができる。
【００３６】
また、本実施例において、用いるＨＣｌについて、特に濃度の制限はないが、例えば濃塩酸から５％程度の希塩酸を用いることができる。また、本実施例において、使用する塩素化剤として塩化水素（ＨＣｌ）を用いて説明したが、本発明はこれに限定されるものではなく、塩素化剤としては、排ガス中のＨｇが脱硝触媒の存在下で反応してＨｇＣｌ及び／又はＨｇＣｌ2の塩化水銀を生成するものであればよい。例えば塩化アンモニウム、塩素、次亜塩素酸、次亜塩素酸アンモニウム、亜塩素酸、亜塩素酸アンモニウム、塩素酸、塩素酸アンモニウム、過塩素酸、過塩素酸アンモニウム、その他上記酸のアミン塩類、その他の塩類等が例示される。
【００３７】
また、本実施例において、ボイラ１１から排出される排ガス１２にＨＣｌとＮＨ3の両方を添加しているが、煙道１９内における排ガス１２にＮＨ3を添加しなくてもよい。排ガス処理装置１０の脱硝触媒部１３では、排ガス１２中のＮＯｘ（窒素酸化物）を除去すると共に、排ガス１２中のＨｇを酸化し、後流側に設けられる脱硫装置（図示しない）でＨｇを除去するものであるため、煙道１９内で排ガス１２にＮＨ3を添加しなくても、脱硝触媒部１３の脱硝触媒の存在下でＨＣｌによりＨｇを塩化物に転換し、脱硫装置（図示しない）でＨｇを除去できる効果には変わりないからである。
【００３８】
また、アンモニアを添加する際、該アンモニアの添加量を低減することで水銀の酸化効率が向上するので、アンモニアを添加する場合においても最低量のアンモニアとすることが望ましい。
【００３９】
また、本実施例では、石炭や重油などの硫黄、水銀等を含む化石燃料を燃焼する火力発電所のボイラから排出される排ガスを用いて説明したが、本発明はこれに限定されるものではなく、ＮＯｘ濃度が低く、二酸化炭素、酸素、ＳＯｘ、煤塵、あるいは水分を含む排ガス、硫黄、水銀等を含む燃料を燃焼する工場などから排出されるボイラ排ガス、金属工場、石油精製工場、石油化学工場等から排出される加熱炉排ガス等にも適用できる。
【００４０】
このように、本実施例に係る排ガス処理装置を適用した排ガス処理システムによれば、実機の運転条件やそのバラツキ度合いをモニタリングして、それらに応じて、塩化水素の噴霧量を調整するので、所要の水銀性能を確保することができる。
【産業上の利用可能性】
【００４１】
以上のように、本発明に係る排ガス処理装置は、前記塩素化剤を供給する供給位置は、脱硝触媒部の前流側煙道の断面形状が軸方向に亙って均一な部分とするので、所要の水銀性能を確保することができるので、火力発電所等の水銀を含有する石炭や重油などの化石燃料を燃焼する装置から排出される排ガスの処理に用いるのに適している。
【図面の簡単な説明】
【００４２】
【図１】本発明の実施例に係る排ガス処理装置を示す概略図である。
【図２】脱硝触媒部の構成の一部を示す斜視図である。
【図３】本発明の試験例にかかる塩化水素の投入位置による塩化水素濃度と水銀酸化率との関係図である。
【図４】本発明の比較例にかかる塩化水素の投入位置による塩化水素濃度と水銀酸化率との関係図である。
【図５】石炭焚きボイラの排ガス処理装置の概略図である。
【符号の説明】
【００４３】
１０  排ガス処理装置
１３  脱硝触媒部
３１  第１のモニタリング部
３２  第２のモニタリング部
４１  塩化水素供給領域
【図１】
2010046596.tif 000003
【図２】
2010046596.tif 000004
【図３】
2010046596.tif 000005
【図４】
2010046596.tif 000006
【図５】
2010046596.tif 000007